(57)【要約】【課題】  ユーザは好みのアイコンを自由に選択してダウンロードすることができ、コンテンツ供給元はコンテンツに応じたアイコン表示によってユーザに対して魅力的な可搬性記録媒体、及び記録媒体再生装置を提供する。【解決手段】  本発明の記録媒体再生装置は、ビデオコンテンツと、当該ビデオコンテンツに関連し、ユーザの記録媒体再生装置への操作に対してその動作モードを表すアイコン映像を含むアイコン情報とが格納された可搬性記録媒体の再生を行う。ビデオコンテンツの映像データ情報を表示する画像プレーンと、アイコン情報を格納する記憶手段と、記憶手段に格納されたアイコン情報からアイコン映像を表示する情報表示プレーンと、画像プレーンの前記映像データ情報と前記情報表示プレーンのアイコン映像とを重ねて表示出力する手段とを備える。【選択図】        図２
2005218045.tif 000002
【特許請求の範囲】
【請求項１】
ビデオコンテンツと、当該ビデオコンテンツに関連し、ユーザの記録媒体再生装置への操作に対してその動作モードを表すアイコン映像を含むアイコン情報とが格納された可搬性記録媒体の再生を行う記録媒体再生装置であって、
前記ビデオコンテンツの映像データ情報を表示する画像プレーンと、
前記可搬性記録媒体の前記アイコン情報を格納する記憶手段と、
前記記憶手段に格納されたアイコン情報からアイコン映像を表示する情報表示プレーンと、
前記画像プレーンの前記映像データ情報と前記情報表示プレーンのアイコン映像とを重ねて表示出力する手段とを備えることを特徴とする記録媒体再生装置。
【請求項２】
前記可搬性記録媒体には、更に、前記アイコン情報を当該記録媒体再生装置に送信するためのアイコンデータ転送コマンドが格納されており、
前記可搬性記録媒体の前記アイコンデータ転送コマンドを取得する手段と、
前記アイコンデータ転送コマンドに従って前記アイコン情報を前記記憶手段に格納するように制御する制御手段とを備えることを特徴とする記録媒体再生装置。
【請求項３】
前記可搬性記録媒体には、更に、ユーザの記録媒体再生装置への操作に対してその動作モードを表すサウンド情報が格納されており、
前記記憶手段には、前記アイコン情報とともに前記サウンド情報が格納され、
前記サウンド情報を出力する手段を備えることを特徴とする請求項１又は２記載の記録媒体再生装置。
【請求項４】
ユーザの記録媒体再生装置への操作に対してその動作モードを表すアイコン映像を含むアイコン情報と、
当該アイコン情報を前記記録媒体再生装置に送信するためのアイコンデータ転送コマンドとが格納されたことを特徴とする可搬性記録媒体。
【請求項５】
更に、ユーザの記録媒体再生装置への操作に対してその動作モードを表すサウンド情報が格納されたことを特徴とする請求項４記載の可搬性記録媒体。
【発明の詳細な説明】
【技術分野】
【０００１】
本発明は、ＤＶＤ−Ｒ（Ｄｉｇｉｔａｌ  Ｖｅｒｓａｔｉｌｅ  Ｄｉｓｋ  Ｒｅｃｏｒｄａｂｌｅ）やＤＶＤ−ＲＷ（Ｄｉｇｉｔａｌ  Ｖｅｒｓａｔｉｌｅ  Ｄｉｓｋ  Ｒｅｗｉｔａｂｌｅ）を含む各種ＤＶＤ又は半導体メモリ等のような可搬性記録媒体、並びに、この可搬性記録媒体に記録されている番組（プログラム）を再生する記録媒体再生装置に関するものである。
【背景技術】
【０００２】
従来、メモリと、メモリに連結されたプロセッサと、メモリに格納され、かつプロセッサ上で実行可能であり、複数のオーディオトラックを含むサウンドトラックを作成するように構成されているコンソールアプリケーションとを含むゲームコンソールが知られており、コンソールアプリケーションがオーディオトラックをゲームコンソール内でオーディオＣＤやＤＶＤ等から取り出すことが開示されている（例えば、特許文献１参照）。
【０００３】
【特許文献１】特開2002-306842公報
【発明の開示】
【発明が解決しようとする課題】
【０００４】
一般的に、記録媒体再生装置にはあらかじめ、ユーザが記録媒体再生装置への操作に対して各動作モード（再生、早送り、停止などの動作）を表す記号等のアイコンを画像情報として保持している。このようなアイコンは、どのようなコンテンツを再生しても、記録媒体再生装置が保持している単一なアイコン表示が行われるものである。また画面上の決められた場所に、指定時間だけ静止画を表示するといったシンプルなものであり、ユーザにとっては面白みがないものであった。
【０００５】
そこで、本発明は、上記したような従来技術の課題を解消するためになされたものであり、その目的は、可搬性記録媒体からユーザの好みのアイコンや、コンテンツに関連したアイコン、又は擬似的なアニメーション表示を行うことのできるアイコンを自由にダウンロードすることが可能であり、その後再生されるコンテンツに当該アイコン表示を行うことができる記録媒体再生装置、および可搬性記録媒体を提供することである。
【課題を解決するための手段】
【０００６】
本発明の記録媒体再生装置は、ビデオコンテンツと、当該ビデオコンテンツに関連し、ユーザの記録媒体再生装置への操作に対してその動作モードを表すアイコン映像を含むアイコン情報とが格納された可搬性記録媒体の再生を行う記録媒体再生装置であって、前記ビデオコンテンツの映像データ情報を表示する画像プレーンと、前記可搬性記録媒体の前記アイコン情報を格納する記憶手段と、前記記憶手段に格納されたアイコン情報からアイコン映像を表示する情報表示プレーンと、前記画像プレーンの前記映像データ情報と前記情報表示プレーンのアイコン映像とを重ねて表示出力する手段とを備えることを特徴とする。
【発明の効果】
【０００７】
本発明によれば、ユーザは好みのアイコンを自由に選択してダウンロードすることができ、コンテンツ供給元はコンテンツに応じたアイコン表示によってユーザに対して魅力的な可搬性記録媒体を提供することができる。
さらに本発明によれば、ダウンロードしたアイコンは、記録再生装置がもともと装置の状態表示用に装備している情報表示プレーンに表示されるので、記録媒体から再生される映像コンテンツ自身の使用する画像プレーンを使用することがなく、したがって、映像コンテンツの表現を損なったり、装置の設計を複雑化することなく、上記の効果を発揮することが可能になる。
【発明を実施するための最良の形態】
【０００８】
まず始めに、以下に説明する実施の形態における前提条件を具体的に説明する。
以下の説明においては、可搬性記録媒体がＤＶＤ−ＲＯＭ（Ｄｉｇｉｔａｌ  Ｖｅｒｓａｔｉｌｅ  Ｄｉｓｋ  Ｒｅａｄ  Ｏｎｌｙ  Ｍｅｍｏｒｙ）ディスクであり、ＤＶＤ−ＲＯＭディスク中に、ＭＰＥＧ−２で圧縮された番組映像が収録されている場合を記述する。ただし、本発明を適用できる可搬性記録媒体は、上記ディスクに限定されず、ＤＶＤ−ＲＡＭ（Ｄｉｇｉｔａｌ  Ｖｅｒｓａｔｉｌｅ  Ｄｉｓｋ  Ｒａｎｄｏｍ  Ａｃｃｅｓｓ  Ｍｅｍｏｒｙ）、ＤＶＤ−Ｒ、及び、スマートメディア（登録商標）等の半導体メモリのような各種記録媒体が含まれる。
また、可搬性記録媒体に収録されている番組（プログラム）は、音楽、映画、教育等どのようなコンテンツが収録されていても良い。
【０００９】
本発明において、「アイコン映像」とは、ユーザの記録媒体再生装置への操作に対してその動作モードを表す図形や解説文字列をいう。例えば、可搬性記録媒体が保持している番組の再生時において、早送りや巻き戻しなどの操作をユーザが指定して実行したときや、動作モード切替わり時に、画面上に再生、記録、早送り、巻戻し、停止、一時停止等の動作モードを表すシンボルを、図形や文字等の情報として表示する場合や、記録媒体再生装置として禁止操作が設定されているとき、ユーザが行った操作が有効ではないことを示す図形や文字を表示する場合が含まれる。
【００１０】
実施の形態１．
図１は、記録媒体再生装置のブロック構成図を示す。図１において、記録媒体再生装置１は、可搬性記録媒体としてのＤＶＤ−ＲＯＭディスク１００に記録されている番組（プログラム）映像を再生する。ディスク１００を再生ドライブ部２に挿入すると、ディスク１００からデジタル変調された信号を読み出す。その後、当該信号はドライブＩ／Ｆ部３に供給される。ドライブＩ／Ｆ部３にて、デジタル復調が施された後、デマルチプレクサ部４に供給される。ドライブＩ／Ｆ部３にてデジタル復調された信号は、映像パック、音声パック、副映像パックといった、同じ情報長をもつ複数種別のパックデータがインターリーブされて構成されている。今回は、３種類のパック情報に分類した例を示す。ここで挙げた３種類のパック情報の他に、静止画データ、制御データなど異なる目的を持った種別のパック情報を含んで記述されていてもよい。さらにここで挙げた３種類のパック情報で、音声パック情報が存在しなくても良い。デマルチプレクサ部４では、上述した複数種類毎にパックデータを集めて再統合することにより、それぞれ映像データ情報、音声データ情報、副映像データ情報に分離する役割を持つ。
映像データ情報は、ビデオデコーダ部７へ供給され、ディスクから読み込んだ符号化映像圧縮信号を伸張しアナログ映像を生成する。その後、アナログ映像を表示するためのフレームメモリ領域であるＶｉｄｅｏ描画プレーン（画像プレーン）８に蓄積される。同様に副映像データ情報は、グラフィックスデコーダ部６にてＹＵＶ信号に変換され、フレームメモリであるグラフィックプレーン９に蓄積される。
【００１１】
一方、デマルチプレクサ部４で生成された音声データ情報は、オーディオデコーダ部５にてデジタル音声信号に変換される。その後、Ｄ／Ａコンバータ１２にてデジタル音声信号をアナログ音声信号に変換した後、外部出力される。
本実施の形態においては、ディスク１００のなかに、ユーザが記録媒体再生装置１へ操作部１９により操作を行った場合、操作に対してその動作モードを表すアイコン映像を含むアイコン情報を格納している。このアイコン映像は、番組（プログラム）映像のビデオコンテンツに関連している。このディスク１００内のアイコン情報は、システム制御部１４とドライブＩ／Ｆ部３を結ぶデータ・アドレスバス１３を通じて接続されたＲＡＭ領域部１５、又はＦＬＡＳＨ領域部１６の記憶手段に格納されて保持される。これらはシステム制御部１４から直接アクセスできるデータとして保持される。
【００１２】
ＲＯＭ領域部１７には記録媒体再生装置１の出荷時においてメーカ独自に保有しているアイコン情報を保持させておき、一方、ＲＡＭ領域部１５およびＦＬＡＳＨ領域部１６には、ディスク１００に保持されているアイコン情報を一旦システム制御部１４が取得した後、当該データを格納する。記録媒体再生装置１の電源ＯＦＦ時にも記憶させつづけたいアイコン情報はＦＬＡＳＨ領域１６に格納する。また、ディスク１００を一旦取り出した時に記憶をリフレッシュさせたいアイコン情報は、ＲＡＭ領域１５に格納する。なお、ＲＡＭ領域部１５およびＦＬＡＳＨ領域部１６はそれぞれ、揮発性メモリおよび不揮発性メモリであればよい。
【００１３】
システム制御部１４は、適宜、ＲＯＭ領域部１７、ＲＡＭ領域部１５又はＦＬＡＳＨ領域部１６からアイコン情報を取得する。システム制御部１４が取得したアイコン情報は、ＯＳＤ（On Screen Display)用のフレームメモリ領域であるＯＳＤプレーン（情報表示プレーン）１８に転送される。その後、前述したＶｉｄｅｏ描画プレーン８に蓄積された映像データ情報、及びグラフィックスプレーン９に蓄積された副映像データ情報と、ＯＳＤプレーン１８のアイコン映像の３つを、合成部１０にて重畳させる。合成部１０にて重畳表示された後、ビデオエンコーダ１１に供給され、ＮＴＳＣ映像信号に変換され、ビデオ出力される。
【００１４】
本実施の形態によれば、記録媒体再生装置１内に、ＲＡＭ領域１５およびＦＬＡＳＨ領域１６を設け、ディスク１００からアイコン情報を取得、格納することでき、格納したアイコン情報からアイコン映像としてＯＳＤプレーン経由で、ビデオコンテンツの映像データ情報とを重畳表示する。
【００１５】
なお、図１には、記録媒体再生装置１内にＲＡＭ領域１５およびＦＬＡＳＨ領域１６の両方を設ける場合について示したが、ＦＬＡＳＨ領域１６を保持せずにＲＡＭ領域１５を有していてもよい。この場合、後述する図４の保存許可フラグ５３が許可（保存可能）となっているようなアイコン情報であっても、ＲＡＭ領域１５に保存することになる。
【００１６】
図２は、実施の形態１における可搬性記録媒体としてのＤＶＤ−ＲＯＭディスク１００の内部データ構造の一例を示す説明図である。
図２に示すように、ＤＶＤ−ＲＯＭディスク１００には、ディスク内周側からディスク外周側に向かって、ＤＶＤ−ＲＯＭディスク１００の開始情報や物理特性等が記述されたリードイン領域２１、ＤＶＤ−ＲＯＭディスク１００のファイルデータのアドレス情報を管理しているファイル管理情報領域２２、予めコンテンツ供給元が映像情報を記録しているビデオデータ領域２３、同様に映像情報に関連した拡張情報を保持している付加情報領域２４、及びディスク終端情報が記述されたリードアウト領域２５が配置されている。付加情報領域２４には、ディスク１００のコンテンツ供給元が用意したアイコン映像を含むアイコン情報領域２６が含まれている。
【００１７】
また同図中で、ビデオデータ領域２３には、当該ビデオデータ領域２３の管理情報が含まれる１つのディスク情報２７と、少なくとも１つ以上のタイトル２８が含まれている。タイトル２８は一連のコンテンツを示している。同図中では、ビデオデータ領域２３が、タイトル＃１、タイトル＃２、…、タイトル＃ＮというＮ個のタイトルを含んでいる例を示している。同図では、各タイトル２８内の先頭部分（内側）にコンテンツ制御情報であるタイトル情報２９が記述され、タイトル２８の後方部分（外側）にタイトルデータ情報であるビデオデータ３０が記述されている場合を例示しているが、タイトル情報２９とビデオデータ３０との配置は図２の例に限定されない。例えば、ビデオデータ領域２３の先頭部分に、すべてのタイトル２８のタイトル情報２９をまとめて記述するなど、ビデオデータ領域２３の内部構造は、他の構造であってもよい。
【００１８】
タイトル情報２９には、プログラムの再生順序やプログラム再生前後に実行される制御コマンドなどの情報が記述されている。すなわち、タイトル情報２９には、まず始めに実施すべき制御コマンドや、ビデオデータのどの区間を再生すれば良いかを示す情報や、各区間をどのような順序で再生するか等を示すルールが記述されている。またビデオデータ３０の情報は、番組を構成している映像情報・副映像情報・音声情報などがインターリーブされたストリーム情報である。
タイトル情報２９には、アイコンサーチアドレス３１を含んでおり、当該タイトルに対応するアイコングループ３２（後述する）までの先頭からのオフセット値（セクター単位又はバイト単位）を格納している。アイコンサーチアドレス３１は、後述するオート方式によるダウンロードの場合に利用される。
なお、本明細書において、先頭からのオフセット値（セクター単位又はバイト単位）とあるのは、所定の先頭位置からのオフセット値であればセクター単位（例えば相対論理セクターアドレス）又はバイト単位のいずれであってよく、先頭位置も実施の形態中に示したもの以外の位置を基準としてもよい。更に、絶対セクターアドレス等の位置情報であってもよい。
【００１９】
同図中に示すように、アイコン情報領域２６は、１又は複数のアイコングループ３２で構成されている。複数のアイコングループ３２がある場合、それぞれのアイコングループ３２は異なる種類のアイコン映像のセットが格納されている。例えばアイコングループ＃１には、アニメのキャラクターを中心としたアイコン映像が用意されており、アイコングループ＃２には、動物を中心に描かれたアイコン映像が用意されている。個々のアイコングループ３２は、ビデオデータ領域２３の各タイトル２８のビデオコンテンツに関連したアイコン映像のセットが格納されているが、１つのタイトル２８に対して１又は複数個のアイコングループ３２が存在していてもよいし、２以上のタイトル２８に対して１つのアイコングループ３２が存在していてもよい。例えば、タイトル１にキャラクターとして犬と猫とが登場する場合、アイコングループ＃１には犬を用いたアイコン映像のセット、アイコングループ＃２には猫を用いたアイコン映像のセットが容易する場合が挙げられる。タイトル２８のなかでアイコングループ３２がないタイトルがあってもよい。ただし、後述するオート方式によるダウンロードの場合には、１つのタイトルに対応するアイコングループ３２は１つである。
【００２０】
各アイコングループ３２は、１つのグループ管理情報３３と少なくとも１つ以上のアイコンユニット３４とが含まれている。グループ管理情報３３は、アイコンユニット３４の総数や各アイコンユニット３４が記録媒体再生装置１で読み出す最適条件などの情報が含まれている。また、アイコンユニット３４は、記録媒体再生装置１側の解像度・ＯＳＤプレーンが表示可能な色数・アイコンの大きさ毎に、１つのデータ群を形成している。すなわちシステムＨ／Ｗの設定条件毎に１つのアイコンユニット３４を保持することになる。動作モードに応じてアイコン映像を表示する場合、１つのアイコンユニット３４に含まれるアイコン映像のいずれかがその動作モードに応じて読み出され表示される。即ち、１つアイコンユニット３４は、再生、停止、禁止等の各動作モードに対して表示すべき１つずつのアイコン映像を含む。
【００２１】
図３は、実施の形態１における可搬性記録媒体としてのＤＶＤ−ＲＯＭディスク１００に蓄積されたグループ管理情報３３の内部データ構造の詳細を示す説明図である。
グループ管理情報３３は、１つのアイコンユニット総数４０とグループ名称４１、および１つ以上のアイコンユニット管理情報４２から構成される。アイコンユニット総数４０は、アイコングループ３２に含まれるアイコンユニット数が記述されている。グループ名称４１は、アイコングループ３２の名称であり、テキスト情報として保持されている。各アイコンユニット管理情報４２は、言語コード４３、解像度情報４４、サイズ情報４５、ＣＬＵＴ情報４６、アイコンユニットサーチポインター４７から構成される。各アイコンユニット管理情報４２に含まれる情報は、記録媒体再生装置１としてのシステム設定情報の組み合わせを示すものである。
【００２２】
言語コード４３とは、記録媒体再生装置１が格納する素材に関連した国情報を示すコードが記録されている。例えば「ローディング中」を示す録画モードアイコン表示を行う場合、言語コード４３が“日本”を示すコードが記述していると、画面上へ表示されるアイコン映像としては「読み込み中」と日本語表示することが望まれる。また同様に言語コード４３が“米国”を示すコードが記述されていれば、「ＬＯＡＤＩＮＧ」と英語表示するといった使い分けのために使われる。
【００２３】
解像度情報４４は、出力される表示装置がＳＤ（Ｓｔａｎｄａｒｄ  Ｄｉｆｉｎｉｔｉｏｎ）であるのかＨＤ（Ｈｉｇｈ  Ｄｅｆｉｎｉｔｉｏｎ）であるのかを識別する情報である。同じ大きさのアイコン映像であっても、ＨＤのように表示装置の解像度が精細な方が小さく表示される。そのため出力される表示装置に合わせてアイコン映像の大きさやアスペクト比の異なるデータを用意する必要がある。解像度情報４４については、ユーザが表示装置の解像度を設定してもよいし、記録媒体表示装置１が保持しているＯＳＤプレーン１８の解像度に合わせて自動的に選択されてもよい。後者の場合、後述する図８の接続ＴＶ８４は表示されない。
【００２４】
サイズ情報４５は、アイコン映像の大きさを示す情報である。ユーザが使用するディスプレイの大きさは様々であり、同じ大きさのアイコン映像であれば小さなモニタの場合は、小さく表示される。そこでユーザの好みに応じて任意にアイコンの大きさを設定できるようにデータを用意する。
【００２５】
ＣＬＵＴ（Ｃｏｌｏｒ  Ｌｏｏｋ―Ｕｐ  Ｔａｂｌｅ）情報４６は、ＯＳＤプレーン１８の表示可能な色数を示す情報であり、例えば６４ｋ、２５６、６４等である。記録媒体再生装置１側のＯＳＤプレーン１８が表現できる色数はシステムによって規定されている。システムの保持するＯＳＤプレーン１８の色数を超えたアイコン素材画像データはデータ量が必要以上に多いばかりでなく、ディスク１００のコンテンツ供給元の意図した色表示ができなくなる可能性がある。そこでシステムの持っているＯＳＤプレーン１８の色数に応じてデータを用意する必要がある。
【００２６】
各アイコンユニット管理情報４２のなかで、サイズ情報４５、及び言語コード４３は、Ｈ／Ｗシステムによってダイレクトに決定されるものではなく、ユーザが自由に設定できる情報である。そこで本情報を設定する手段としては、Ｈ／Ｗシステム起動時に、後述する図８のような設定画面を表示することで、当該データを設定するような仕組みを設けても良い。
アイコンユニットサーチポインター４７とは、当該アイコンユニット管理情報４２に対応するアイコンユニット３４を格納しているアドレスを、アイコン情報領域２６の先頭位置を基準とした相対アドレスで示している。ここでは相対アドレスで説明するが、絶対アドレスで記述されていても構わない。
【００２７】
図４は、実施の形態１における可搬性記録媒体としてのＤＶＤ−ＲＯＭディスク１００に蓄積されたアイコンユニット３４の内部データ構造の詳細を示す説明図である。
アイコンユニット３４は、１つのアイコンユニットヘッダー情報５０と、複数のアイコンデータ５１とから構成されている。アイコンユニットヘッダー情報５０は、ＩＤ番号５２、保存許可フラグ５３、強制表示フラグ５４、アイコン総数５５、アイコンサーチポインターフィールド５６、ＣＬＵＴ５８から構成されている。
ＩＤ番号５２は、アイコンユニット３４を識別するためのユニークな数字が割り当てられる。このＩＤ番号を使用することにより、ＲＡＭ領域１５又はＦＬＡＳＨ領域１６といったメモリ領域への格納のためのアイコンユニット５８の特定を行う。
【００２８】
強制表示フラグ５４は、現在選択中の動作モードアイコンを、強制的に選択させるために使用するフラグ情報である。この強制表示フラグ５４を格納しておくことにより、コンテンツ供給元が特定のアイコン映像を表示させたい場合に、コンテンツ供給元の意思をユーザに伝えることができる。
保存許可フラグ５３は、アイコンユニット３４の情報を記録媒体再生装置１内のＦＬＡＳＨ領域１６に保持するようにダウンロードして、ディスク１００を抜いた場合においても保持し続けるかどうかを設定するフラグ情報である。この保存許可フラグ５３の情報を格納しておくことにより、ダウンロードされたアイコン情報であっても、他のディスクに差し替えた場合に再利用させないといった効果が得られる。
【００２９】
アイコン総数５５は、現在のアイコンユニット３４内に保持するアイコンデータ５１の数を格納している。アイコンサーチポインターフィールド５６は、複数のポインター情報５７から構成されており、各アイコンデータ５１へアクセスするためのアドレス情報を、アイコンユニット３４の先頭位置を基準とした相対アドレスで示している。ここでは相対アドレスで説明するが、絶対アドレスで記述されていても構わない。ＣＬＵＴ５８は、色変換テーブルとして使用される。ＣＬＵＴを持つことにより少ないデータ量で静止画データを取り扱うことができる。
【００３０】
一方、アイコンデータ５１は、“ＰＬＡＹ”や“ＦＦ”や“禁止”などといった動作モード毎の映像データと制御データを集約したものである。アイコンデータ５１には、動作モード情報５９、構成総枚数６０、表示時間６１、フレームレート６２、位置変更許可フラグ６３、静止画サーチポインターフィールド６４からなる制御データ部分と、複数の静止画情報６６からなる映像データ部分を含む。
【００３１】
動作モード情報５９は、アイコンデータ５１が示す動作モードを特定する情報であり、“ＰＬＡＹ“や”ＦＦ“などの動作モードを特定するコード番号が記録されている。例えば、ＰＬＡＹ＝００１、ＳＴＯＰ＝００２といったように各動作モードを数値コード化した情報となっている。
構成総枚数６０は、１つのアイコンデータ５１が何枚の静止画情報６６で構成されているかを示す情報である。例えば、構成総枚数が“１”である場合には１枚の静止画情報６６だけを保持することを示している。また２以上の複数である場合には、複数枚の静止画情報６６を指定時間で切り替えることにより、擬似的なアニメーション表示を行うことを意味している。
表示時間６１は、当該アイコン映像を何秒間表示させるかを規定したものである。表示時間６１は、００からＦＦまでの２５６段階で設定できるものとし、００、ＦＦ（=２５５）以外の有効な数字情報であった場合には、数字情報の秒数分だけアイコン表示が行われる。例えば１２が設定されていれば、動作モードアイコンが１２秒間表示した後、表示ＯＦＦとなる。また００が設定されている場合は、エンドレスで表示されることになる。ＦＦ（＝２５５）が設定されている場合は、記録媒体再生装置１がＲＯＭ領域１７にもともと保持している表示時間分に従って表示を行う。
フレームレート６２は、単位時間当たりの切り替え速度を示している。例えば本値が４と設定されていれば、１秒当たり４回の切り替えを実行することを意味しており、フレームレート６２で表示されている数値が大きいほど滑らかなアニメーション表示が行われる。
【００３２】
位置変更許可フラグ６３は、ダウンロードしたデータが保持する画面場所に強制表示させるか否かを設定するためのフラグである。
静止画サーチポインターフィールド６４は、複数のポインター６５で構成されている。ポインター６５の数は、前述した構成総枚数６０と同数のポインターを保持しており、静止画情報６６と１：１で対応している。
静止画情報６６は、画面上の表示開始位置を示すＸ座標６７とＹ座標６８の位置情報、および静止画データ６９本体が格納されている。静止画データ６９は、ＣＬＵＴにより色変換が実施される直前のデータ形態で保持されている。
なお、静止画情報６６は、静止画データ６９を持たずにＸ座標６７とＹ座標６８の位置情報のみからなるものでもよい。最初の静止画情報＃１のみ静止画データ６９とＸ座標６７とＹ座標６８の位置情報とを格納し、その後の静止画情報＃２、静止画情報＃３は同じ静止画を平行移動する場合が例示できる。
【００３３】
図５は、実施の形態１におけるグループ管理情報３３とアイコンユニット３４のアイコンユニットヘッダー情報５０との関係を示す説明図である。
同図において、記録媒体再生装置１のシステム設定情報の組み合わせ毎に、アイコンユニットヘッダー情報５０内のＩＤ番号５２が割り振られており、即ち、このＩＤ番号５２毎に、システム設定情報の組み合わせに最適なアイコンユニット３４の情報が存在することになる。例えば、記録媒体再生装置１側のシステム情報が「言語：日本語（ＪＰ）」「解像度：ＨＤ」「ＯＳＤ色数：２５６色」「アイコン大きさ：大」で設定されている場合に取得するＩＤ番号５２は、００４番となる。
【００３４】
図６は、画面上への静止画のアイコン映像７１の表示例を示す図である。同図では、ＨＤ（横１９２０Ｐｉｘｃｅｌ×縦１０８０Ｐｉｘｃｅｌ）の解像度の場合におけるアイコン映像の表示位置を示している。同図中のようにＸ座標、Ｙ座標で指定された位置を基準に、右下方向に静止画を描画する。
【００３５】
図７は、動画のアイコン映像の表示例を示す図である。アイコン映像は複数の静止画から構成されており、単位時間に静止画の切り替え表示を行うことによりアニメーション表示を行うことができる。同図では、３枚の静止画、即ち図７（a）の７２、図７（ｂ）の７３、図７（ｃ）の７４を、基準座標（Ｘ，Ｙ）とアイコン図柄とを変化させることにより、アイコン絵柄が回転しているように見せる一例を示す。図７（a）は最初のアイコン映像７２を示す。次に図７（ｂ）のアイコン映像７３を表示しているが座標を右に移動させ、絵柄自体も右方向に９０度回転させた絵柄で表示を行う。最後に図７（ｃ）のアイコン映像７４に遷移するが、ここでも座標を右に移動させ、図柄自身も右方向に９０度回転させている。この３枚のアイコン映像を順次切替表示を行えば、ユーザにはアイコン映像の図柄が右に回転しながら移動しているように見える。
【００３６】
図８は、記録媒体再生装置１の初期設定メニュー例を示す図である。記録媒体再生装置１の初期設定メニュー８０中でアイコンのダウンロードに関するメニュー構成となっている。設定項目は、言語設定８２、アイコンサイズ８３、接続ＴＶ８４、優先アイコン８５の設定項目を有している。記録媒体再生装置１は、これらの情報に基づいて最適なアイコン情報を情報取得する。
言語設定８２は、記録媒体再生装置１に情報取得させたいアイコンの言語仕様を選択するための設定キーである。この設定値を日本語に設定すれば、アイコン映像も日本語仕様（例えば日本語字幕表示）となり、このアイコン映像が格納されたアイコンユニット３４をメモリ領域に格納できる。同図中では４カ国分の切替えが可能であるが、更に細分化した地域コードを入力できるようにしても良い。
【００３７】
アイコンサイズ８３は、メモリ領域に格納するアイコンの大きさを３段階で設定することができる。大を選択すれば大きなアイコンサイズのデータを取得できる。
接続ＴＶ８４は、接続されるテレビを設定する。ＨＤＴＶに接続する場合はＨＤに設定し、ＳＤＴＶに接続する場合はＳＤに設定する。
優先アイコン８５は、記録媒体再生装置１で優先的に表示させるアイコン名が表示される。また、優先表示させたいアイコンをユーザが選択することもできる。記録媒体再生装置１には複数種類のアイコン名についての情報の取得が可能であり、その中でユーザが一番優先的に表示させたいアイコンのキャラクターを選択することができる。ここではアイコングループ３２のグループ名称４１（図３）が表示されるため、このグループ名称４１から選択することになる。ただし、図４の強制表示フラグ５４が有効を示しているアイコン情報の場合、ユーザが別のアイコンを選択してもユーザの選択は無視される。
なお、同図において選択アイコン８６は、ディスク１００を再生している時に現在選択中のアイコングループ３２のグループ名称４１が表示される。
【００３８】
図９は、アイコンの種類と仕様の例を示す図である。各動作モードに対応した構成枚数とフレームレートの推奨例を示す。
同図の例では、動作モード９０が“ＰＬＡＹ”の場合、構成枚数９１は１枚であり、フレームレート９２は存在せずに、表示時間９３は２秒である。そのため、動作モード９０が“ＰＬＡＹ”の場合のアイコン表示時には、１枚の静止画を２秒間静止画表示することになる。一方、“ＦＦ”や“ＲＥＷ”、“正スロー”などの動作モード９０の場合、静止画表示よりもアニメーション表示を行った方がユーザへの認知性能が向上することにつながる。同図の例でいえば、動作モード９０が“ＦＦ（早送り）”の場合には、構成枚数９１が５枚でフレームレート９２が５であるので、５枚の静止画を１秒間で表示させて、かつ“ＦＦ（早送り）”の動作モード中は継続して表示させる（表示時間９３はEndless)ことを意味している。５枚の静止画を短時間で切り替え表示することにより、擬似的なアニメーション表示を行うことが可能となる。
同図に示した動作モードの１セットにより、例えば１つのアイコンユニット３４（図２、図４）が構成されることになる。
【００３９】
図１０は、ＯＳＤ表示例を示す図である。図１０（a）は、あらかじめ記録媒体再生装置１がＲＯＭ領域１７に保持しているアイコン映像であり、禁止されたユーザ操作を行った場合に表示される動作モードの場合である。
図１０（ｂ）は、上記で説明したディスク１００からのアイコン情報取得、及びメモリ領域への格納によるＯＳＤ表示例であり、禁止されたユーザ操作を行った場合に表示される動作モードを示している。本アイコンについては、ディスク１００から情報取得、格納されるものであるため、いろいろなキャラクター形態や大きさを持つことが可能である。更に１つの動作モードに対して複数の静止画情報を保持することができるので、順次切り替えることによりアニメーション表示を行うことも可能である。
【００４０】
図１１は、メニュー画面上でのアイコン選択画面を示す図である。ディスク１００を挿入すると、ディスク１００中のビデオデータ領域２３のタイトルに保持されているトップメニュー９５が表示される。本メニュー９５の表示は、ディスク１００のビデオデータ領域２３のタイトル２８中の制御情報であるタイトル情報２９に従って行われる。本メニュー９５には、「本編再生」「チャプター」「字幕設定」「アイコン設定」という４つのボタン情報を保持している。トップメニュー９５において「アイコン設定」ボタンを押下すると、アイコン設定メニュー９６が表示される。アイコン設定メニュー９６もディスク１００中のビデオデータ領域２３のタイトルに保持されている。本アイコン設定メニュー９６には、６個のアイコン設定ボタンがあり、それぞれに異なるアイコンの設定が可能である。例えば、「アイコン１」ボタンにはアニメキャラクターのアイコンの情報送信を行うためのボタン、「アイコン２」ボタンには動物キャラクターのアイコンの情報送信を行うためのボタンといったように、ボタンに応じて情報送信するキャラクターを変更することが可能である。
これにより、ユーザはアイコン設定メニュー９６を視聴しながら、画面表示されたボタンを選択するといった簡単な操作によって、アイコンのダウンロード設定をすることができるので、設定操作が容易でなる。
【００４１】
以下では、アイコン設定メニュー９６上でユーザによって選択可能な複数種類のアイコンのなかから「アイコン２」ボタンが押下されたものと想定して、具体的なアプリケーションイメージの説明を進める。「アイコン２」ボタンを押下すると、「アイコン２」ボタンに対応したアイコングループ３２の情報送信９７が開始される。アイコングループの情報送信９７が終了すると、前述したトップメニュー９５の表示を行う。
【００４２】
図１２は、図１０中のトップメニュー９５及びアイコン設定メニュー９６上のボタンデータのデータ構造を示すものである。各ボタンデータ１１０は、ボタンＩＤ１１１、位置情報１１２、移動情報１１３、コマンドデータ１１４、グラフィックデータ１１５から構成される。
ボタンＩＤ１１１は、ボタン自身を特定するユニークな番号が割り振られている。位置情報１１２は、ボタンが画面上に配置される座標と大きさを示す。移動情報１１３は、操作部１９よりユーザにより入力された情報に応じて、ハイライト移動先のボタンＩＤ１１１を示す。例えば、ユーザが操作部１９のアップダウンキーにより「アイコン２」ボタンから「アイコン１」ボタンへの移動を行った場合には、移動情報１１３には移動先である「アイコン１」ボタンのボタンＩＤ１１１が示される。
【００４３】
コマンドデータ１１４は、ボタンの選択決定時の記録媒体再生装置１の挙動を定義したコマンド情報が格納されている。コマンドデータ１１４の領域は複数のコマンドを保持することが可能であり、同図中のようにコマンドの総数を示すコマンド総数１１６と各コマンド１１７が格納されている。なおコマンド１１７が複数記述されていた場合、コマンド＃１から順番に実行されることになる。また、コマンド１１７は、オペコード１１８と引数１１９とで構成されている。オペコード１１８は基本的な命令の種類を示し、引数１１９はオペコード１１８の修飾子として扱われる。オペコード１１８としては、「ジャンプコマンド」や「セットコマンド」等が挙げられる。例えば、「ジャンプコマンド」の場合のデータ構造は、オペコード１１８に「ジャンプコマンド」を示すビット列が記録されており、引数１１９には「タイトル番号」が保持される。このようなボタンのジャンプコマンドが実行された場合は、引数１１９に保持されたタイトル番号に遷移し、このタイトルの再生を開始する。
本発明においては、ボタンデータ１１０のコマンド１１７のオペコード１１８に、アイコン情報を記録媒体再生装置１に送信する命令を特定するための「ダウンロードコマンド」（アイコンデータ転送コマンド）、引数１１９には「ダウンロード対象データアドレス」を保持することを特徴としている。
【００４４】
図１３は、ボタンデータ１１０のコマンドデータ１１４の具体的なデータ配置情報を示すものである。ここでは、図１１の例のアプリケーションイメージを想定してデータ配置されているものとする。
コマンド総数１１６としては２であり、まず始めに実行されるコマンド＃１はダウンロードコマンド１２１を示す。次に、ジャンプタイトルコマンド１２３が実行されるものと想定する。ダウンロードコマンド１２１は、オペコード１１８（47bit〜40bit）にダウンロードコマンドを示すコードとして記述されている。その後引数１１９（39bit〜0bit）には、記録媒体再生装置１が情報の取得を行うアイコングループ３２の格納先が、アドレス１２２として、先頭からのオフセット値（セクター単位又はバイト単位）が格納されている。本ダウンロードコマンド１２１の実行により、アイコングループ３２の送信が行われる。その後、コマンド＃２であるジャンプタイトルコマンド１２３が実行される。オペコード１１８（47bit〜40bit）にはジャンプタイトルコマンドを示すコードとして記述されている。その後引数１１９（39bit〜0bit）にジャンプ先のタイトルＩＤ情報１２４が格納されており、指定タイトルへのジャンプを行う。この場合、タイトルＩＤ１２４としては、トップメニュー９５を表示するタイトルのＩＤ番号が格納されている。
【００４５】
以上の図１から図１３を用いて、ＤＶＤ−ＲＯＭディスク１００からアイコン情報の情報取得、ＲＡＭ領域１５又はＦＬＡＳＨ領域１６といったメモリ領域への格納を行うまでの流れを説明する。なおダウンロード方法としては、「オート方式」と「マニュアル方式」の２つの方式を用意している。
「オート方式」は、ディスク１００の挿入を行うと、記録媒体再生装置１の情報取得、メモリ領域への格納までの処理が全自動で行われる形態であり、「マニュアル方式」は、ユーザがアイコンの種類や大きさなどを自由に設定することができる形態である。一般的にマニュアル方式は、ディスク１００内のアイコン設定メニュー９６（図１１）のボタン押下によりダウンロードを開始する方式である。
【００４６】
最初に、「マニュアル方式」によるアイコン情報の取得について具体的に説明する。
アイコン設定メニュー９６の選択によってボタンコマンドの実行までを説明する。図１１のトップメニュー９５は、記録媒体再生装置１によりＤＶＤ−ＲＯＭディスク１００挿入時においてタイトル２８の自動再生が実行された後、表示装置に表示されるものである。このトップメニュー９５は、映像データ情報と副映像データ情報を合成表示することで構成されている。映像データ情報とはトップメニュー９５の画面上の背景画像情報であり、副映像データ情報とは映像データ情報に重畳表示されるボタン情報を示している。図１１では、「アイコン設定」ボタンを押下すると、ディスク１００内のアイコン設定メニュー画面９６に遷移する。
【００４７】
ディスク１００内のアイコン設定メニュー画面９６において、副映像データ情報として６つのボタン情報を保持しており、これらは、１又は複数種類のアイコンからユーザが選択し、選択したアイコンの情報取得を行うためのボタンである。アイコン設定メニュー画面９６は、現在選択されているボタンに対して１つだけハイライトが存在する。図１１においては、「アイコン２」ボタンがハイライトされている。このとき、ユーザが操作部の右矢印キー、左矢印キー、上矢印キー、又は下矢印キー（図示せず）を押下することにより、ハイライトされているボタンを移動させることができる。さらに、操作部１９の決定キー（図示せず）を押下することにより、ハイライトされているボタンに割り当てられたコマンドが実行される。
【００４８】
各ボタンは、図１２で示されるボタンデータ１１０を保持しており、各ボタンに割り当てられたコマンドデータ１１４は、複数のコマンド１１７を保持することが可能であり、コマンド＃１から順番に実行される。本実施の形態１においては、図１３に示すように、ボタンに割り当てられたコマンドとして、アイコン情報のダウンロード設定を行うダウンロードコマンド（アイコンデータ転送コマンド）を用意していることを特徴としている。図１３において、まず始めに、コマンド＃１が実行される。コマンド＃１は、オペコード１１８にダウンロードコマンド１２１を示すビット列がアサインされているので、ダウンロードコマンド１２１であると判断される。その後ダウンロードコマンド１２１の引数１１９（３９ｂｉｔ〜０ｂｉｔ部分）を取得する。引数１１９には、送信するアイコン情報が格納されているアイコングループ３２のアドレス１２２が記述されているので、当該アイコングループ３２の情報が記録媒体再生装置１へ送信され、システム制御部１４が情報取得する。
【００４９】
次に、ダウンロードコマンド１２１を示すボタンコマンドを実行し、ボタンコマンドで指定されたアイコングループ３２を取得した後の、記録媒体再生装置１内の内部処理データを詳細に説明する。なお内部処理フローのおおまかな流れとしては、以下のルーチンに従って設定される。
１．ボタンコマンド押下によりダウンロードコマンドの実行。
２．付加情報領域２４のアイコン情報領域２６から、アイコングループ３２の情報を取得。
３．記録媒体再生装置１のシステム設定情報を取得。
４．システム設定情報に基づいて、アイコングループ３２から最適なアイコンユニット３４を特定。
５．ダウンロード方式（ダウンロード先、アイコン強制選択）の情報をチェック。
６．アイコンユニット３４をＲＡＭ領域１５又はＦＬＡＳＨ領域１６に格納。
７．使用アイコンの切替え。
【００５０】
上記１．及び２．のステップについては、前述したとおりであるので、以下ではステップ３及び４について説明する。
システム制御部１４は、記録媒体再生装置１自身の「言語設定」「出力解像度」「ＯＳＤの色数」「アイコンの大きさ」といった、当該記録媒体再生装置１で使用するアイコンを選択するための設定条件であるシステム設定情報を取得する。「言語設定」と「アイコンの大きさ」の情報は、あらかじめユーザが図８の初期設定メニュー８１にて任意に選択決定しておき、その設定内容を装置のプリファレンス情報として保持しているものとする。「言語設定」として、例えば、国を示す３桁の数値コードとして、００１が“日本”、００２が“米国”を示す。「アイコンサイズ」は、例えば、２ビットのデータ領域で３段階の大きさ情報を表し、００ｂの場合は“大”、０１ｂの場合は“中”、１１ｂの場合は“小”を示すようにする。「出力解像度」は、例えば、２ビットのデータ領域で２段階の切替えを行うことができ、０１ｂは“ＨＤ”、００ｂで設定されている場合“ＳＤ”を示す。「ＯＳＤの色数」は、記録媒体再生装置１自身が保持している情報のため、ユーザの設定を必要とせず、記録媒体再生装置１自身のＨ／Ｗのシステム情報として特定される。例えば、「ＯＳＤの色数」は、２ビットのデータ幅を持った情報であり、００ｂは６４色表示、０１ｂは２５６色表示、１０ｂは６４ｋ色表示を示すといった切替えが行われる。
【００５１】
今回の実施の形態１では、言語設定を“００１（＝日本語）”、出力解像度を“０１ｂ（＝ＨＤ）”、ＯＳＤの色数を“１０ｂ（＝６４ｋ）”、アイコンの大きさを“００ｂ（＝大）”と設定していたときの例を示す。
まず取得したアイコングループ＃２のグループ管理情報３３から、上記システム設定情報に基づいた最適なアイコンユニット３４を順次検索する。具体的には、アイコングループ＃２のグループ管理情報３３（図３）から、システム設定情報中の「言語設定」「出力解像度」「サイズ情報」「ＣＵＬＴ情報」のコード体系と同じ情報を持ったアイコンユニット３４を特定する。上述した条件に当てはまるＩＤ番号は、図５によりＩＤ番号＃００４であるため、ＩＤ番号＃００４が選択されるとメモリ領域への最適な格納が行えると予測される。ＩＤ番号＃００４は、アイコンユニット管理情報４２（図３）内にアイコンユニット＃００４のアイコンユニットサーチポンタ４７も記述されているので、アイコンユニット＃００４の位置を特定することができる。当該アイコンユニット＃００４は、ディスク供給元がシステム設定情報に最適なアイコン情報を示すデータが保持されている。
【００５２】
次に、上記ステップ５について説明を行う。システム制御部１４は、取得したアイコンユニット＃００４のアイコンユニットヘッダー情報５０から保存許可フラグ５３と強制表示フラグ５４のチェックを行う。当該アイコンユニット＃００４の保存許可フラグ５３が許可（保存可能）を示していれば、記録媒体再生装置１内のＦＬＡＳＨ領域１６に格納されるものと判断する。もし保存許可フラグ５３が不許可（保存不可）を示していれば、記録媒体再生装置１内のＲＡＭ領域１５に格納するものと判断する。
また当該アイコンユニット＃００４の強制表示フラグ５４が有効を示していれば、現在格納したアイコンを強制的に適用する。もし強制表示フラグ５４が無効を示していれば、現在格納したアイコンではなく、図８の初期設定メニュー８１の優先アイコン８５として表示設定が行われているアイコンが適用される結果となる。
今回の実施の形態１では、保存許可フラグ５３が不許可、強制表示フラグ５４が有効に設定されているものとして説明を進める。
【００５３】
最後に、上記ステップ６及び７について説明を行う。保存許可フラグ５３が不許可で設定されているため、格納先のメモリ領域としてＲＡＭ領域１５が選択される。ＲＡＭ領域１５に対して、データ・アドレスバス１３経由で格納が実行される。格納が正常に終了すると、次ステップ７を実行する。ステップ７では、強制表示フラグ５３が有効で設定されているため、現在格納されたアイコンを強制的に適用し、ディスク開閉動作を行うまで最優先で表示される。
【００５４】
以下では、メモリ流域に格納したアイコン情報が、どのような流れで表示されるかを説明する。概略フローは以下の通りである。
８．システム設定値（図８の優先アイコン８５、選択アイコン８６）情報に基づき、ＲＡＭ領域１５及びＦＬＡＳＨ領域１６といったメモリ領域とシステム制御部１４間のデータ・アドレスバス１３の経路設定。
９．ＲＡＭ領域１５及びＦＬＡＳＨ領域１６といったメモリ領域から、該当のアイコンユニット３４（動物アイコン、アニメアイコンなど）を取得。
１０．現在表示すべき動作モード（PLAY,STOPなど）のアイコンデータ５１を取得。
１１．表示条件情報（図４の構成枚数６０、フレームレート６２等）取得
１２．アイコン映像の表示（ＣＬＵＴ５８による色変換とフレームレート６２による切替）
【００５５】
以下では詳細動作について説明する。前提条件として、アイコン情報は既にＲＡＭ領域１５に格納されているものとして説明を進める。すなわちＲＡＭ領域１５には、アイコンユニット３４（図４参照）が格納されているものとする。また以下で説明する動作モードとしては、ユーザ操作が禁止されている区間で、対象の操作を行った場合、システム制御部１４はＲＡＭ領域１５に保持しているアイコンユニット３４から対象の動作モードのアイコンデータ５１を取得する。
【００５６】
最初に、上記ステップ８．及び９．について記載する。現在選択しているアイコンユニット３４の保存場所を検索する。もし現在設定しているアイコンユニット３４がＲＡＭ領域１５に保持されている場合、システム制御部１４とＲＡＭ領域１５間でデータ・アドレスバス１３の経路を通信可能状態に切り替える。もし現在選択しているアイコンユニット３４がＦＬＡＳＨ領域１６に保持されている場合は、システム制御部１４とＦＬＡＳＨ領域１６間でデータ・アドレスバス１３の経路を通信可能状態に切り替える。その後アイコンユニット３４をシステム制御部１４からアクセスできる状態とする。
なお、選択中のアイコンユニット３４について、強制表示フラグ５４が無効で、かつ、優先アイコン８５が図８の初期設定メニュー８１により設定されている場合は、優先アイコン８５の設定されているアイコンユニット３４の保存場所の検索を行う。
【００５７】
次にステップ１０．について説明する。システム制御部１４は、アイコンユニットヘッダー情報５０に格納されているアイコンデータサーチポインターフィールド５６内のポインター情報５７に基づいて、全てのアイコンデータ５１の動作モード情報５９を取得する。全てのアイコンデータ５１の動作モード情報５９と現在操作を行った動作モードとを比較し、動作モード情報５９が一致（動作モード情報が「禁止」のもの）したアイコンデータ５１全体を取得する。
【００５８】
次にステップ１１．について説明する。続けてシステム制御部１４は、アイコンデータ５１内の構成総枚数６０、フレームレート６２の情報を取得する。本実施の形態では、図９に示すように設定されているものとして説明を進める。禁止の動作モードにおいては「構成総枚数９１：３枚」であり、「フレームレート９２：３」で設定されているものとする。上記の設定値から、アイコンデータ５１は、静止画情報＃１、静止画情報＃２、静止画情報＃３の合計３枚の静止画情報を持ち、１秒間でこの３枚の静止画を切り替えて表示を行う。なお切替えは循環表示（＃１、＃２、＃３、＃１、＃２、・・・）を行う。各静止画情報６６中には、Ｘ座標６７、Ｙ座標６８の位置情報を持ち、固定表示に限定されない。
【００５９】
最後にステップ１２．について説明する。アイコン映像を表示する位置、及びリフレッシュのタイミングが決定された後、実際の表示を行う。アイコンユニットヘッダー情報５０中のＣＬＵＴ５８を取得し、静止画データ６９のＣＬＵＴを表すコードをアイコンユニットヘッダー情報５０中の色変換テーブル情報であるＣＬＵＴ５８に通して、実際の表示を行う。アイコン表示は、アイコンデータ５１内の表示時間９３に達するまで、又はユーさがその操作を終了するまで表示される。
【００６０】
次にオート方式によるダウンロードの説明を行う。
記録媒体再生装置１にＤＶＤ−ＲＯＭディスク１００を挿入すると、システム制御部１４は、ビデオデータ領域２３内ディスク情報２７に記述されている最初に再生すべきタイトル２８の番号情報を取得する。そのタイトル２８の番号情報に基づいて、タイトル２８が再生される。本実施の形態ではタイトル＃１が最初に再生するべきタイトル２８として説明を進める。
【００６１】
タイトル＃１のタイトル情報２９にはアイコンサーチアドレス３１を含む。アイコンサーチアドレス３１には、記録媒体再生装置１へ送信したいアイコングループ３２が記述されている先頭からのオフセット値（セクター単位又はバイト単位）が記述されている。本アイコンサーチアドレス３１を元にアイコン情報領域２６からアイコングループ３２を取得する。その後の処理は、マニュアル方式による処理工程と同じである。
このように記録媒体再生装置１側のシステム設定情報に基づいて、最適なアイコン情報を抽出・自動ダウンロードできるので、強制表示フラグ５４と共に利用することにより、ユーザが気付くことなく、コンテンツ供給元が意図したコンテンツに一致又は関連したキャラクターのアイコン映像を表示させることができる。また、ユーザにとっては自動でダウンロードできるため、誤った設定を行う危険性が少なくなる。
【００６２】
実施の形態２．
図１４は、実施の形態２における記録媒体再生装置２００のブロック構成図である。本実施の形態では、光ディスク２０１内に、ユーザの記録媒体再生装置１への操作に対してその動作モードを表すアイコン映像を含むアイコン情報とサウンド情報とが格納されている。
図１４において、ディスク２０１内の動作モードを表すアイコン情報と、このアイコン情報に基づいて表示されるアイコン映像に付随して出力されるサウンド情報とは、システム制御部１４とドライブＩ／Ｆ部３とを結ぶデータ・アドレスバス１３等を通じて接続されたＲＡＭ領域１５、ＦＬＡＳＨ領域１６のいずれかのメモリ領域に保持される。これらに保持される情報は、システム制御部１４から直接アクセスできるデータとして保持されている。基本的にはサウンド情報の格納先は、アイコン情報の格納先と同じである。すなわちアイコン情報をＲＡＭ領域１５に記録した場合は、サウンド情報もＲＡＭ領域１５に記録される。ＦＬＡＳＨ領域１６の場合も同様である。サウンド情報の格納以外については、実施の形態１と同様の処理を行う。
【００６３】
システム制御部１４は、適宜、各メモリ領域から実施の形態１と同様にしてアイコン情報を取得する。システム制御部１４が取得したアイコン情報は、ＯＳＤ用のフレームメモリ領域であるＯＳＤプレーン１８に転送される。その後、前述したＶｉｄｅｏ描画プレーン８から出力される映像情報とグラフィックスプレーン９の映像とＯＳＤプレーン１８のアイコン映像との３つを合成部１０にて映像を重畳させる。合成部１０にて重畳表示された後、ビデオエンコーダ１１に供給され、ＮＴＳＣ映像信号に変換され、ビデオ出力される。サウンド情報についても同様に、システム制御部１４は、適宜メモリ領域からサウンド情報を取得する。システム制御部１４が取得したサウンド情報は、オーディオデコーダ５から出力された音声情報と音声合成部２０２にてミキシングされた後、Ｄ／Ａコンバータ１２に供給され、アナログ音声信号に変換されて音声出力される。
本実施の形態によれば、記録媒体再生装置１内に、ＲＡＭ領域１５およびＦＬＡＳＨ領域１６を設け、ＤＶＤ−ＲＯＭディスク２０１からアイコン情報およびサウンド情報を取得、格納することでき、格納したアイコン情報を動作モードに従ってアイコン映像としてＯＳＤプレーン１８経由で表示し、且つアイコン映像表示中に動作モードに関連するサウンドを出力できる。サウンド情報の出力以外の事項については、実施の形態１と同様の処理を行う。
なお、サウンド情報は、ディスク２０１のビデオコンテンツの内容に関連するもの、例えば映画のなかで録音された特有のサウンド等と同一又は類似のものを格納しておいてもよい。
【００６４】
図１５は、実施の形態２における可搬性記録媒体としてのＤＶＤ−ＲＯＭディスク２０１の内部データ構造の一例を示す説明図である。図１５に示すように、ＤＶＤ−ＲＯＭディスク２０１の付加情報領域２４には、コンテンツ供給元が用意したアイコン映像のダウンロードデータを保持しているアイコン情報２６と、動作モードに関連するサウンドのダウンロードデータを保持しているサウンドグループ２０３とが含まれている。他のデータ構造については、実施の形態１と同じである。
【００６５】
図１６は、実施の形態２における可搬性記録媒体としてのＤＶＤ−ＲＯＭディスク２０１に蓄積されたサウンドグループ２０３の内部データ構造の詳細を示す説明図である。サウンドグループ２０３は、１つのサウンドグループ管理情報２０４と、１又は複数の言語ユニット２０５とから構成されている。サウンドグループ管理情報２０４は、１つの言語ユニット総数２０６と１又は複数の言語ユニット管理情報２０７とから構成される。言語ユニット管理情報２０７は、言語ユニット２０５の管理情報が格納されており、言語ユニット管理情報２０７の数と言語ユニット２０５の数とは同数である。
【００６６】
言語ユニット管理情報２０７は、言語コード２０８と言語ユニットサーチポインタ２０９との２つの情報から構成され、言語コード２０８は、国を示すコード番号が記述されている。例えば、日本＝００１、米国＝００２といった形態のコード番号が記述されている。また言語ユニットサーチポインタ２０９は、各言語ユニット２０５を特定する、先頭からのオフセット値（セクター単位又はバイト単位：サウンドグループ２０３のデータ先頭アドレスを基準とした）が記述されている位置情報である。
【００６７】
図１７は、言語ユニット２０５の内部データ構造の詳細を示す説明図である。言語ユニット２０５は、１つのサウンドデータ総数２１０と、１つのサウンドデータサーチポインターフィールド２１１と、１又は複数のサウンドデータ２１２とから構成されている。サウンドデータ総数２１０は、当該言語ユニット２０５が保持しているサウンドデータ２１２の総個数を示している。サウンドデータサーチポインターフィールド２１１は、１又は複数のポインター２１３から構成されており、ポインター２１３はサウンドデータ２１２を特定する、先頭からのオフセット値（セクター単位又はバイト単位：サウンドグループ２０３のデータ先頭アドレスを基準とした）が記述されている位置情報である。サウンドデータサーチポインターフィールド２１１のポインター２１３の数とサウンドデータ２１２の数とは同数である。
言語ユニット２０５は、言語コード２０８毎に１つのデータ群を形成している。動作モードに応じてサウンド情報を音声出力する場合、１つの言語ユニット２０５に含まれるサウンドデータ２１２のいずれかがその動作モードに応じて読み出され音声出力される。即ち、１つの言語ユニット２０５は、再生、停止、禁止等の各動作モードに対して出力すべき０又は１つずつのサウンドデータ２１２を含む。言語ユニット２０５に対応するものが、実施の形態１で説明したアイコンユニット３４である。
【００６８】
サウンドデータ２１２は、動作モード２１４、リピート回数２１５、音声データ２１６から構成されている。動作モード２１４は、ユーザの記録媒体再生装置１への操作に対する動作モードを示す情報であり、“ＰＬＡＹ“や”ＦＦ“などを特定するコード番号が記録されている。例えば、ＰＬＡＹ＝００１、ＳＴＯＰ＝００２といったように各動作モードを数値コード化した情報となっている。
リピート回数２１５は、当該音声データ２１６を何回再生させるかを規定したものである。リピート回数２１５が００以外の有効な数字情報であった場合には、数字情報の回数分だけリピート再生が行われる。例えば１２が設定されていれば、音声データ２１６を１２回再生させて終了する。また００が設定されている場合は、エンドレスで再生されることになる。ただし基本的には音声データ２１６は、表示画面に表示させる静止画又は動画のアイコンに付加される本体の音声データが格納されており、動作モードアイコンが表示されているときに限り出力されるものとする。音声データ２１６は、ここではリニアＰＣＭで記録されていると仮定するが、ドルビーＡＣ−３やＤＴＳなど他の音声フォーマット方式でも構わない。
【００６９】
図１８は、可搬性記録媒体２０１からのアイコン情報取得、及びメモリ領域への格納による、実施の形態２のＯＳＤ表示例を示す図である。同図中では、ユーザが操作部１９を通じて、禁止されたユーザ操作を行った場合に表示されるアイコン映像２１７、およびそれに付随して出力される実際の音声２１８を示している。本アイコン映像２１７や実際の音声２１８に関するデータは、ディスク２０１から情報取得されて、記録媒体再生装置２００に格納されたものである。実施の形態１で説明したとおり、記録媒体再生装置２００に格納されるアイコンとしてはいろいろなキャラクター形態や大きさが可能である。更に１つの動作モードに対して複数の静止画情報を保持することができるので、順次切り替えることによりアニメーション表示を行うことも可能である。サウンド情報は、このようなアイコン表示と組み合わせて出力されるものである。アイコン映像２１７の表示時間と音声２１８の出力時間とは異なっていても良い。
【００７０】
ＤＶＤ−ＲＯＭディスク２０１からアイコン情報及びサウンド情報の格納までの流れについては、実施の形態１と同じであるので説明を省略する。なおダウンロード方法としては、実施の形態１と同様に「オート方式」と「マニュアル方式」の２つの方式がある。
【００７１】
以下では、ダウンロードコマンド１２１（図１３参照）を示すコマンドデータ１１４を実行し、コマンドデータ１１４で指定されたアイコングループ３２を取得した後の、記録媒体再生装置２００内の内部処理データを詳細に説明する。なお内部処理フローをおおまかな流れとしては、以下のルーチンに従って設定される。
１．ボタンコマンド押下によりダウンロードコマンドの実行。
２．付加情報領域２４のアイコン情報領域２６から、アイコングループ３２の情報を取得。
３．記録媒体再生装置１のシステム設定情報を取得。
４−１．システム設定情報に基づいて、アイコングループ３２から最適なアイコンユニット３４を特定。さらにサウンドグループ２０３からサウンドの言語ユニット２０５を特定。
５．ダウンロード方式（ダウンロード先、アイコン強制選択）の情報をチェック。
６−１．アイコンユニット３４及び言語ユニット２０５をＲＡＭ領域１５又はＦＬＡＳＨ領域に格納。
７．使用アイコンの切替え。
なおステップ１から３、５及び７については、実施の形態１と同様であるため説明を省略する。以下では、ステップ４−１について説明を進める。
【００７２】
実施の形態２では、言語設定を“００１（＝日本語）”、出力解像度を“０１ｂ（＝ＨＤ）”、ＯＳＤの色数を“１０ｂ（＝６４ｋ）”、アイコンの大きさを“００ｂ（＝大）”と設定していたときの例を示す。
まず取得したアイコングループ＃２のグループ管理情報３３から、上記システム設定情報に基づいた最適なアイコンユニット３４を順次検索する。具体的には、アイコングループ＃２のグループ管理情報テーブル３３から、システム設定情報中の「言語設定」「出力解像度」「サイズ情報」「ＣＵＬＴ情報」のコード体系と同じ情報を持ったアイコンユニット３４を特定する。
上述した条件に当てはまるＩＤ番号は、図５の相関図により、ＩＤ番号＃００４が選択されると最適なメモリ領域への格納が実行できると予測される。ＩＤ番号＃００４は、アイコンユニット＃００４のアイコンユニットサーチポンタ４７が記述されているので、アイコンユニット＃００４の位置を特定することができる。当該アイコンユニット＃００４は、ディスク供給元がシステム設定情報に最適なアイコン情報を示すデータが保持しているデータである。
【００７３】
同様にサウンドグループ２０３から、上記システム管理情報に基づいた最適な言語ユニット２０５を順次検索する。具体的には、サウンドグループ管理情報２０４中の言語コード２０８に基づいて、サウンドグループ２０３からシステム設定情報中の言語設定８２（図８）の言語コード体系と同じ情報をもった言語ユニット２０５を特定する。
サウンド情報についても、言語ユニットサーチポインター２０９により、日本語を示す言語コード体系をもった言語ユニット２０５の位置を特定することができる。
【００７４】
次に、ステップ６−１．の説明を行う。アイコンユニット３４のアイコンユニットヘッダー情報５０中の保存許可フラグ５３が不許可で設定されているため、格納先のメモリ領域としてＲＡＭ領域１５が選択される。ＲＡＭ領域１５に対して、データ・アドレスバス１３経由で格納が実行される。格納されるデータは、ステップ４−１．で特定されたアイコンユニット３４と言語ユニット２０５とである。格納が正常に終了すると、次ステップ７を実行する。
【００７５】
以下では、実施の形態２において、メモリ領域へ格納されたアイコン情報が、どのような流れで表示されるかを説明する。概略フローは以下の通り。
８．システム設定値（図８の優先アイコン８５、選択アイコン８６）情報に基づき、ＲＡＭ領域１５及びＦＬＡＳＨ領域１６といったメモリ領域とシステム制御部１４間のデータ・アドレスバス１３の経路設定。
９−１．ＲＡＭ領域１５及びＦＬＡＳＨ領域１６といったメモリ領域から、該当のアイコンユニット３４（動物アイコン、アニメアイコンなど）を取得。またアイコンに関連したサウンド情報である言語ユニット２０５を取得。
１０−１．現在表示すべき動作モード（PLAY,STOPなど）のアイコンデータ５１およびサウンドデータ２１２を取得。
１１．表示条件情報（図４の構成枚数６０、フレームレート６２等）取得
１２−１．アイコン映像の表示（ＣＬＵＴ５８による色変換とフレームレート６２による切替）。また音声データ２１６を出力。
なお、ステップ８．及び１１．については、実施の形態１と同様であるため説明を省略する。
【００７６】
前提条件として、アイコン情報は既にＲＡＭ領域１５に格納されているものとして説明を進める。すなわちＲＡＭ領域１５には、アイコンユニット３４（図４参照）と言語ユニット２０５とが格納されているものとする。また以下で説明する動作モードとしては、ユーザ操作が禁止されている区間で、対象の操作を行った場合、システム制御部１４はＲＡＭ領域１５に保持しているアイコンユニット３４から対象の動作モードのアイコンデータ５１及びサウンドデータ２１２を取得する。
【００７７】
以下では、ステップ９−１．について記載する。
現在選択しているアイコンユニット３４の保存場所を検索する。もし現在設定しているアイコンユニット３４及び言語ユニット２０５がＲＡＭ領域１５に保持されている場合、システム制御部１４とＲＡＭ領域１５間でデータ・アドレスバス１３の経路を通信可能状態に切り替える。もし現在選択しているアイコンユニット３４及び言語ユニット２０５がＦＬＡＳＨ領域１６に保持されている場合は、システム制御部１４とＦＬＡＳＨ領域１６間でデータ・アドレスバス１３の経路を通信可能状態に切り替える。その後アイコンユニット３４及び言語ユニット２０５をシステム制御部１４からアクセスできる状態とする。
【００７８】
次にステップ１０−１．について説明する。システム制御部１４は、アイコンユニットヘッダー情報５０に格納されているアイコンデータサーチポインターフィールド５６内のポインター情報５７に基づいて、全てのアイコンデータ５１の動作モード情報５９を取得する。全てのアイコンデータ５１の動作モード情報５９と現在操作を行った動作モードとを比較し、動作モード情報５９が一致（動作モード情報が「禁止」のもの）したアイコンデータ５１全体を取得する。また同時に、システム制御部１４は、サウンドデータサーチポインターフィールド２１１内のポインター情報２１３に基づいて、全てのサウンドデータ２１２の動作モード情報２１４を取得する。全てのサウンドデータ２１２の動作モード情報２１４と現在操作を行った動作モードとを比較し、動作モード情報２１４が一致（動作モード情報が「禁止」のもの）したサウンドデータ２１２全体を取得する。
【００７９】
最後に、ステップ１２−１．について説明する。アイコン映像を表示する位置、及びリフレッシュのタイミングが決定された後、実際の表示を行う。アイコンユニットヘッダー情報５０中のＣＬＵＴ５８を取得し、静止画データ６９のＣＬＵＴを表すコードをアイコンユニットヘッダー情報５０中の色変換テーブル情報であるＣＬＵＴ５８に通して、実際の表示を行う。アイコン表示は、アイコンデータ内表示時間９３に達するまで表示される。また音声データ２１６の出力を行う。音声データ２１６は、アイコン表示が行われている間は、サウンドデータ２１２のリピート回数２１５の回数分再生を行う。リピート回数２１５に到達しない間に、アイコン表示が終了した場合は、音声出力自体も合わせて終了する。
【００８０】
実施の形態３．
図１９は、実施の形態３における可搬性記録媒体としてのＤＶＤ−ＲＯＭディスク２２０の内部データ構造の一例を示す説明図である。同図に示すように、ＤＶＤ−ＲＯＭディスク２２０において、付加情報領域２４に、アイコン情報領域２２２のほかに、コンテンツ供給元が用意した動作モードアイコン、音声情報、およびＣＬＵＴなどのデータ本体を統合管理しているデータヒープ２２１を保持している。アイコン情報領域２２２は、１又は複数のアイコングループ２２３から構成され、各アイコングループ２２３はグループ管理情報２３６と１又は複数のアイコンユニット２２４とからなる。他のデータ構造については、実施の形態１と同じである。
【００８１】
図２０は、実施の形態３におけるディスク２２０に蓄積されたグループ管理情報２３６の内部データ構造の詳細を示す説明図である。
グループ管理情報２３６は、１つのアイコンユニット総数４０、グループ名称４１、ヒープサーチアドレス２３７、および１つ以上のアイコンユニット管理情報４２から構成される。ヒープサーチアドレス２３７は、アイコングループ２２３の先頭アドレスからのデータヒープ２２１のオフセット値（セクター単位又はバイト単位）を示したものである。その他については実施の形態１の図３に示したものと同様である。
【００８２】
図２１は、実施の形態３における可搬性記録媒体としてのＤＶＤ−ＲＯＭディスク２２０に蓄積されたアイコンユニット２２４の内部データ構造の詳細を示す説明図である。アイコンユニット２２４は、１つのアイコンユニットヘッダー情報２２５と複数のアイコン管理情報２２６とから構成されている。アイコンユニットヘッダー情報２２５は、ＩＤ番号５２、保存許可フラグ５３、強制表示フラグ５４、アイコン総数５５、ＣＬＵＴ  ＩＤ２２７とから構成されている。ＣＬＵＴ  ＩＤ２２７以外は、実施の形態１と同様であるため説明を省略する。ＣＬＵＴ  ＩＤ２２７は、使用するＣＬＵＴのＩＤ番号が記述されている。ＣＬＵＴ  ＩＤ２２７は、後述する図２３のＣＬＵＴデータサーチポインターフィールド２４０内のポインター番号２４２を示すコードが記述されているものとする。
【００８３】
一方、アイコン管理情報２２６は、“ＰＬＡＹ”や“ＦＦ”や“禁止”などといった動作モード毎に、データヒープ２２１を参照してアイコン情報及びサウンド情報を読み出すための識別情報、即ちアイコンＩＤ２２８及びサウンドＩＤ２２９と、それらを出力するための制御データとを集約したものである。アイコン管理情報２２６には、動作モード情報５９、表示時間６１、位置変更許可フラグ６３、アイコンＩＤ２２８、リピート回数２１５、サウンドＩＤ２２９を含む。アイコンＩＤ２２８およびサウンドＩＤ２２９以外は、実施の形態１と同様であるため説明を省略する。
アイコンＩＤ２２８は、使用するアイコンのＩＤ番号が記述されている。アイコンＩＤ番号は、後述する図２４のアイコンデータサーチポインターフィールド５６内のポインター番号５７を示すコードが記述されているものとする。またサウンドＩＤ２２９は、使用するサウンドのＩＤ番号が記述されている。サウンドＩＤ２２９は、後述する図２５のサウンドデータサーチポインターフィールド２５４内のポインター番号２５６を示すコードが記述されているものとする。
【００８４】
図２２は、実施の形態３における可搬性記録媒体としてのＤＶＤ−ＲＯＭディスク２２０に蓄積されたデータヒープ２２１の内部データ構造の詳細を示す説明図である。データヒープ２２１は、ＣＬＵＴヒープデータサイズ２３０、アイコンヒープデータサイズ２３１、サウンドヒープデータサイズ２３２、ＣＬＵＴヒープ２３３、アイコンヒープ２３４、サウンドヒープ２３５から構成されており、ＣＬＵＴデータ、アイコン情報及びサウンド情報をアイコン情報領域２２２とは別にまとめて配置する。
ＣＬＵＴヒープデータサイズ２３０は、データヒープ２２１領域内のＣＬＵＴヒープ２３３の大きさ情報を示す。アイコンヒープデータサイズ２３１は、データヒープ２２１領域内のアイコンヒープ２３４の大きさ情報を示す。サウンドヒープデータサイズ２３２は、データヒープ領域２２１内のサウンドヒープ２３５の大きさ情報を示す。ＣＬＵＴヒープデータサイズ２３０、アイコンヒープデータサイズ２３１、サウンドヒープデータサイズ２３２の大きさが固定長であるため、ＣＬＵＴヒープ２３３の開始アドレスも固定位置から開始される。アイコンヒープ２３４は、ＣＬＵＴヒープ２３３の開始アドレスからＣＬＵＴヒープデータサイズ２３０に示された大きさを加算した場所から開始される。サウンドヒープ２３５は、アイコンヒープ２３４の開始アドレスからアイコンヒープデータサイズ２３２に示された大きさを加算した場所から開始される。
ＣＬＵＴヒープ２３３は、後述する図２３に示すＣＬＵＴ関連情報が格納される。アイコンヒープ２３４は、後述する図２４に示すアイコン関連情報が格納される。サウンドヒープ２３５は、後述する図２５に示すサウンド関連情報が格納される。
【００８５】
図２３は、実施の形態３における可搬性記録媒体としてのＤＶＤ−ＲＯＭディスク２２０に蓄積されたＣＬＵＴヒープ２３３の内部データ構造の詳細を示す説明図である。ＣＬＵＴヒープ２３３は、ＣＬＵＴデータサーチポインターフィールド２４０と１又は複数のＣＬＵＴデータ２４１から構成される。またＣＬＵＴデータサーチポインターフィールド２４０は、複数のポインター情報２４２から構成されている。ＣＬＵＴデータサーチポインターフィールド２４０内のポインター２４２の数と、ＣＬＵＴデータ２４１の総数は同じであり、それぞれ１：１で対応するものである。すなわちポインター＃ｋは、ＣＬＵＴデータ＃ｋの先頭からのオフセット値（セクター単位又はバイト単位）を保持するものである。
【００８６】
図２４は、実施の形態３における可搬性記録媒体としてのＤＶＤ−ＲＯＭディスク２２０に蓄積されたアイコンヒープ２３４の内部データ構造の詳細を示す説明図である。アイコンヒープ２３４は、アイコンデータサーチポインターフィールド５６と１又は複数のアイコンデータ５１とから構成される。またアイコンデータサーチポインターフィールド５６は、複数のポインター情報５７から構成されている。アイコンデータサーチポインターフィールド５６内のポインター５７の数と、アイコンデータ５１の総数は同じであり、それぞれ１：１で対応するものである。すなわちポインター＃ｑは、アイコンデータ＃ｑの先頭からのオフセット値（セクター単位又はバイト単位）を保持するものである。
アイコンデータ５１は、構成総枚数５９、フレームレート６２、静止画サーチポインターフィールド６４、静止画情報６６から構成されている。これらの構成要素は、実施の形態１のアイコンデータ５１の構成要素と同様のため説明を省略する。
【００８７】
図２５は、実施の形態３における可搬性記録媒体としてのＤＶＤ−ＲＯＭディスク２２０に蓄積されたサウンドヒープ２４の内部データ構造の詳細を示す説明図である。サウンドヒープ２４は、サウンドデータサーチポインターフィールド２５４と１又は複数の音声データ２５５から構成される。またサウンドデータサーチポインターフィールド２５４は、複数のポインター情報２５６から構成されている。サウンドデータサーチポインターフィールド２５４内のポインター２５６の数と、音声データ２５５の総数は同じであり、それぞれ１：１で対応するものである。すなわちポインター＃ｘは、音声データ＃ｘの先頭からのオフセット値（セクター単位又はバイト単位）を保持するものである。
【００８８】
以下に、ＤＶＤ−ＲＯＭディスク２２０からアイコン情報及びサウンド情報の情報取得、メモリ領域への格納までの流れについては、実施の形態１と同じであるので、説明を省略する。なおダウンロード方法としては、実施の形態１と同様に「オート方式」と「マニュアル方式」の２つの方式がある。
【００８９】
以下では、ダウンロードコマンド１２１（図１３参照）を示すコマンドデータ１１４を実行し、コマンドデータ１１４で指定されたアイコングループ２２３を取得した後の、記録媒体再生装置２２０内の内部処理データを詳細に説明する。なお内部処理フローをおおまかな流れとしては、以下のルーチンに従って設定される。
１．ボタンコマンド押下によりダウンロードコマンドの実行。
２．付加情報領域２４のアイコン情報領域２２２から、アイコングループ２２３の情報を取得。
３．記録媒体再生装置１のシステム設定情報を取得。
４−２．システム設定情報に基づいて、アイコングループ２２３から最適なアイコンユニット２２４を特定。
５．ダウンロード方式（ダウンロード先、アイコン強制選択）の情報をチェック。
６−２．データヒープ２２１を参照してＩＤ（ＣＬＵＴ  ＩＤ２２７、アイコンＩＤ２２８、サウンドＩＤ２２９）で指定したＣＬＵＴデータ、アイコンデータ及びサウンドデータといった実データと、アイコンユニット２２４とをＲＡＭ領域１５又はＦＬＡＳＨ領域１６に格納。
７．使用アイコンの切替え。
なおステップ１から３、５及び７については、実施の形態１と同様であるため説明を省略する。以下では、ステップ４−２及び６−２について説明を進める。
【００９０】
実施の形態３では、言語設定を“００１（＝日本語）”、出力解像度を“０１ｂ（＝ＨＤ）”、ＯＳＤの色数を“１０ｂ（＝６４ｋ）”、アイコンの大きさを“００ｂ（＝大）”と設定していたときの例を示す。
まず取得したアイコングループ＃２のグループ管理情報２３６から、上記システム設定情報に基づいた最適なアイコンユニット２２４を順次検索する。具体的には、アイコングループ＃２のグループ管理情報２３６から、システム設定情報中の「言語設定」「出力解像度」「サイズ情報」「ＣＬＵＴ情報」のコード体系と同じ情報を持ったアイコンユニット２２４を特定する。
【００９１】
次に、データヒープ２２１を参照して、アイコンユニット２２４のなかのＩＤデータ（ＣＬＵＴ  ＩＤ２２７、アイコンＩＤ２２８、サウンドＩＤ２２９）で指定したＣＬＵＴデータ、アイコンデータ及びサウンドデータといった実データを取得する。
全ての素材（ＣＬＵＴ、アイコン、サウンド）情報は、データヒープ２２１内に統合管理されてデータを保持されており、上記ＣＬＵＴ  ＩＤ２２７、アイコンＩＤ２２８、サウンドＩＤ２２９を使用することにより、データヒープ２２１の中からデータの特定を行うことができる。最初は、アイコンユニット２２４内で示されているＣＬＵＴ  ＩＤ２２７、アイコンＩＤ２２８、サウンドＩＤ２２９の情報を取得する。
【００９２】
ＣＬＵＴデータ２４１の取得については、ＣＬＵＴ  ＩＤ２２７で示される数値に対応したポインター情報２４２に基づいて、図２３に示したＣＬＵＴヒープ２３３のなかから行う。例えばＣＬＵＴ  ＩＤ２２７が３の場合、ポインター情報２４２は＃３を参照する。ポインター情報＃３で特定されるＣＬＵＴデータ＃３が使用される。
同様に、アイコンデータ５１については、アイコン管理情報２２６の動作モード情報５９と現在行った動作モードとを比較して、アイコンＩＤ２２８で示される数値に対応したポインター情報５７に基づき、図２４に示したアイコンヒープ２３４のなかから取得する。例えばアイコンＩＤ２２８が２の場合、ポインター情報５７は＃２を参照する。ポインター情報＃２で特定されるアイコンデータ＃２が使用されることになる。
音声データ２５５についても、アイコン管理情報２２６の動作モード情報５９と現在行った動作モードとを比較して、サウンドＩＤ２２９で示される数値に対応したポインター情報２５６に基づき、図２５に示したサウンドヒープ２３５のなかから取得する。例えばサウンドＩＤ２２９が５の場合、ポインター情報２５６は＃５を参照する。ポインター情報＃５で特定される音声データ＃５が使用される。
【００９３】
アイコンユニット２２４のアイコンユニットヘッダー情報２２５中の保存許可フラグ５３が不許可で設定されているため、格納先のメモリ領域としてＲＡＭ領域１５が選択される。ＲＡＭ領域１５に対して、データ・アドレスバス１３経由で格納が実行される。格納されるデータは、ステップ４−２で特定されたアイコンユニット２２４と、ＩＤ（ＣＬＵＴ  ＩＤ２２７、アイコンＩＤ２２８、サウンドＩＤ２２９）に基づいてデータヒープ２２１よりデータ特定が行われたＣＬＵＴデータ、アイコンデータ及びサウンドデータといった実データとである。格納が正常に終了すると、次ステップ７を実行する。
【００９４】
以下では、実施の形態３において、メモリ領域へ格納を行ったアイコンユニット２２４のなかのアイコン情報及びサウンド情報が、どのような流れで表示されるかを説明する。概略フローは以下の通りである。
８．システム設定値（図８の優先アイコン８５、選択アイコン８６）情報に基づき、ＲＡＭ領域１５及びＦＬＡＳＨ領域１６といったメモリ領域とシステム制御部１４間のデータ・アドレスバス１３の経路設定。
９−２．ＲＡＭ領域１５及びＦＬＡＳＨ領域１６といったメモリ領域から、該当のアイコンユニット２２４（動物アイコン、アニメアイコンなど）を取得。
１０−２．現在表示すべき動作モード（PLAY,STOPなど）のアイコンデータ５１および音声データ２５５、ＣＬＵＴデータ２４１を取得。
１１．表示条件情報（図４の構成枚数６０、フレームレート６２等）取得
１２−２．アイコン映像の表示（CLUTデータ２４１による色変換とフレームレート６２による切替）。また音声データ２５５を出力。
上記ステップは、実施の形態１又は２と同様のため説明を省略する。
【００９５】
実施の形態３の特徴は、実施の形態１、２と異なり、アイコンユニット２２４にはＣＬＵＴ  ＩＤ２２７、アイコンＩＤ２２８、サウンドＩＤ２２９を格納しておき、別にデータヒープ２２１としてＣＬＵＴデータ２４１、アイコンデータ５１、音声データ２５５といったデータ本体を一括で管理しておく点が異なる。このようなデータ構造を持つことにより、冗長なデータを数多く保持する必要がなくなる。例えば。実施の形態１では、システム構成が「言語：ＪＰ」「解像度：ＨＤ」「色数：２５６色」「大きさ：中」の情報と、「言語：ＥＮ」「解像度：ＨＤ」「色数：２５６色」「大きさ：中」の情報のように言語が異なるだけのものは同じ内容の静止画情報を保持している。すなわち言語数分だけ同じデータを保持する必要があり、データを有効に活用しているとは言えない。そこでサーチポインター５７での参照先をアイコンＩＤ番号２８８とし、図２４のアイコンヒープ２３４を参照することによってデータ取得が容易になり、同じデータを複数保持する必要をなくすことができる。音声データ、ＣＬＵＴデータに対しても同様である。
なお、ＣＬＵＴ  ＩＤ２２７、アイコンＩＤ２２８、サウンドＩＤ２２９としては、データヒープ２２１中の各ポインターのデータを格納することとしたが、ＣＬＵＴデータ２４１、アイコンデータ５１、音声データ２５５のそれぞれを特定する番号を割り当てておき、当該番号を格納してもよい。
実施の形態３では、ＣＬＵＴ  ＩＤ２２７、アイコンＩＤ２２８、サウンドＩＤ２２９を用いる場合を示したが、これらのうちいずれか１つ又は２つについてのみＩＤ番号とデータヒープ２２１とを用いてデータの効率的な保持を達成してもよい。
【図面の簡単な説明】
【００９６】
【図１】実施の形態１における記録媒体再生装置のブロック構成図である
【図２】実施の形態１における可搬性記録媒体としてのＤＶＤ−ＲＯＭディスクの内部データ構造の一例を示す説明図である。
【図３】実施の形態１におけるグループ管理情報の内部データ構造の詳細を示す説明図である。
【図４】実施の形態１におけるアイコンユニットの内部データ構造の詳細を示す説明図である。
【図５】実施の形態１におけるグループ管理情報とアイコンユニットのアイコンユニットヘッダー情報との関係を示す説明図である。
【図６】画面上への静止画のアイコン映像７１の表示例を示す図である。
【図７】動画のアイコン映像の表示例を示す図である。
【図８】記録媒体再生装置の初期設定メニュー例を示す図である。
【図９】アイコンの種類と仕様の例を示す図である。
【図１０】実施の形態１におけるＯＳＤ表示例を示す図である。
【図１１】メニュー画面上でのアイコン選択画面を示す図である。
【図１２】トップメニュー及びアイコン設定メニュー上のボタンデータのデータ構造を示す図である。
【図１３】ボタンデータのコマンドの具体的なデータ配置情報を示す図である。
【図１４】実施の形態２における記録媒体再生装置のブロック構成図である
【図１５】実施の形態２における可搬性記録媒体としてのＤＶＤ−ＲＯＭディスクの内部データ構造の一例を示す説明図である。
【図１６】実施の形態２におけるサウンドグループの内部データ構造の詳細を示す説明図である。
【図１７】実施の形態２における言語ユニットの内部データ構造の詳細を示す説明図である。
【図１８】実施の形態２におけるＯＳＤ表示例を示す図である。
【図１９】実施の形態３における可搬性記録媒体としてのＤＶＤ−ＲＯＭディスクの内部データ構造の一例を示す説明図である。
【図２０】実施の形態３におけるグループ管理情報の内部データ構造の詳細を示す説明図である。
【図２１】実施の形態３におけるアイコンユニットの内部データ構造の詳細を示す説明図である。
【図２２】実施の形態３におけるデータヒープの内部データ構造の詳細を示す説明図である。
【図２３】実施の形態３におけるＣＬＵＴヒープの内部データ構造の詳細を示す説明図である。
【図２４】実施の形態３におけるアイコンヒープの内部データ構造の詳細を示す説明図である。
【図２５】実施の形態３におけるサウンドヒープの内部データ構造の詳細を示す説明図である。
【符号の説明】
【００９７】
１、２００  記録媒体再生装置、１００、２０１、２２０  ＤＶＤ−ＲＯＭディスク、２  再生ドライブ部、３  ドライブＩ／Ｆ部、４  デマルチプレクサ、５  オーディオデコーダ部、６  グラフィックスデコーダ部、７  ビデオデコーダ部、８  Ｖｉｄｅｏ描画プレーン、９  グラフィックスプレーン、１０、２０２  合成部、１１  ビデオエンコーダー、１２  Ｄ／Ａコンバーター、１３  データ・アドレスバス、１５  ＲＡＭ領域、１６  ＦＬＡＳＨ領域、１７  ＲＯＭ領域、１８  ＯＳＤプレーン、１９  操作部、２６、２２２  アイコン情報領域、３２、２２３  アイコングループ、３３、２３６  グループ管理情報、３４、２２４  アイコンユニット、２０３  サウンドグループ、２２１  データヒープ
【図１】
2005218045.tif 000003
【図２】
2005218045.tif 000004
【図３】
2005218045.tif 000005
【図４】
2005218045.tif 000006
【図５】
2005218045.tif 000007
【図６】
2005218045.tif 000008
【図７】
2005218045.tif 000009
【図８】
2005218045.tif 000010
【図９】
2005218045.tif 000011
【図１０】
2005218045.tif 000012
【図１１】
2005218045.tif 000013
【図１２】
2005218045.tif 000014
【図１３】
2005218045.tif 000015
【図１４】
2005218045.tif 000016
【図１５】
2005218045.tif 000017
【図１６】
2005218045.tif 000018
【図１７】
2005218045.tif 000019
【図１８】
2005218045.tif 000020
【図１９】
2005218045.tif 000021
【図２０】
2005218045.tif 000022
【図２１】
2005218045.tif 000023
【図２２】
2005218045.tif 000024
【図２３】
2005218045.tif 000025
【図２４】
2005218045.tif 000026
【図２５】
2005218045.tif 000027